(57)【要約】【課題】ランスによる端子（ハウジングに設置された端子）の端子係止力を強化することができるコネクタの端子係止構造を提供する。【解決手段】キャビティ１１（１１Ａ，１１Ｂ）が設けられているハウジング５と、ハウジング５のキャビティ１１に挿入されることでハウジング５に設置される端子７（７Ａ，７Ｂ）と、ハウジング５に設けられ、ハウジング５に設置された端子７に係合することで端子７の抜け止めをするランス１３（１３Ａ，１３Ｂ）と、ランス１３に設けられた被係止部１５と、係止部１７を備え、端子７がハウジング５に設置されランス１３による端子７の抜け止めがなされている状態でハウジング５に設置されたときに、係止部１７が被係止部１５に係合してランス１３を固定するホルダ９とを有するコネクタの端子係止構造１である。【選択図】図７
2015095343.tif 000002
【特許請求の範囲】
【請求項１】
キャビティが設けられているハウジング）と、
前記ハウジングのキャビティに挿入されることで前記ハウジングに設置される端子と、
前記ハウジングに設けられ、前記ハウジングに設置された端子に係合することで前記端子の抜け止めをするランスと、
前記ランスに設けられた被係止部と、
係止部を備え、前記端子が前記ハウジングに設置され前記ランスによる前記端子の抜け止めがなされている状態で前記ハウジングに設置されたときに、前記係止部が前記被係止部に係合して前記ランスを固定するホルダと、
を有することを特徴とするコネクタの端子係止構造。
【請求項２】
請求項１に記載のコネクタの端子係止構造において、
前記被係止部は、前記ランスのリブで形成されており、
前記係止部は、前記リブが入り込む溝で形成されていることを特徴とするコネクタの端子係止構造。
【請求項３】
請求項１または請求項２に記載のコネクタの端子係止構造において、
前記被係止部は、前記ランスの幅方向の両端から突出している一対のリブで形成されており、
前記係止部は、前記一対のリブのそれぞれが入り込む一対の溝で形成されていることを特徴とするコネクタの端子係止構造。
【請求項４】
請求項１〜請求項３のいずれか１項に記載のコネクタの端子係止構造において、
前記キャビティと前記ランスとは、複数設けられており、
前記複数のキャビティのそれぞれに挿入されて設置された端子の抜け止めが、前記複数のランスのそれぞれによってなされるように構成されており、
１つの前記ホルダで、前記複数のランスを固定するように構成されていることを特徴とするコネクタの端子係止構造。
【発明の詳細な説明】
【技術分野】
【０００１】
本発明は、コネクタの端子係止構造に係り、特に、ハウジングに設置された端子を、ランスを用いて抜け止めするものに関する。
【背景技術】
【０００２】
従来、図９で示すようなコネクタ（コネクタの端子係止構造）３０１が知られている（たとえば、特許文献１参照）。
【０００３】
コネクタ３０１は、ハウジング３０３、リテーナ（フロントホルダ）３０５及び端子金具（端子）３０７を備えて構成されている。
【０００４】
コネクタ３０１は、ハウジング３０３への端子３０７の中途挿入状態（仮組み付け位置にある状態）を、フロントホルダ３０５で検知するように構成されている。端子３０７が中途挿入の状態にあるときには、変形したランス３０９にフロントホルダ３０５が当接し、フロントホルダ３０５を本係止位置に移動することができないようになっている。これよって、中途挿入状態が検知されるようになっている。
【０００５】
また、コネクタ３０１では、端子３０７をハウジング３０３のキャビティ３１１に挿入し終えた状態にあるときに、フロントホルダ３０５を正規組付け位置（本係止位置）まで押し込むことができるようになっている。
【０００６】
フロントホルダ３０５を正規組付け位置へ押し込むと、フロントホルダ３０５の押圧斜面３１３がランス３０９のガイド斜面３１５を下方へ押圧する。これにより、ランス３０９は、自由状態よりも端子金具３０７側（下方）の位置へ強制的に押し下げられ、撓み空間３１７側（上方）への撓みを規制されるようになっている。
【０００７】
そして、端子３０７の係止代（ハウジング３０３に設置された端子３０７とランス３０９との係合代）が増え、ランス３０９による端子３０７の抜け止めがなされるようになっている。
【先行技術文献】
【特許文献】
【０００８】
【特許文献１】特開２００３−３４６９６４号公報
【発明の概要】
【発明が解決しようとする課題】
【０００９】
ところで、上記従来のコネクタ３０１では、端子３０７の係止代が増えるので、ランス３０９を小さくしても、端子３０７の抜け止め機能を十分に確保することができると考えられる。
【００１０】
しかし、ハウジング３０３に設置された端子３０７に離脱方向（抜ける方向）の大きなが加わると、ランス３０９自体の強度不足によって片持ち梁状のランス３０９が挫屈し、ランス３０９が端子３０７側に折れ曲がるようにして変形することで、端子係止力（端子の抜け止めをする力）が低下するおそれがあるという問題がある。
【００１１】
本発明は、上記問題点に鑑みてなされたものであり、ランスによる端子（ハウジングに設置された端子）の端子係止力を強化することができるコネクタの端子係止構造を提供することを目的とする。
【課題を解決するための手段】
【００１２】
請求項１に記載の発明は、キャビティが設けられているハウジングと、前記ハウジングのキャビティに挿入されることで前記ハウジングに設置される端子と、前記ハウジングに設けられ、前記ハウジングに設置された端子に係合することで前記端子の抜け止めをするランスと、前記ランスに設けられた被係止部と、係止部を備え、前記端子が前記ハウジングに設置され前記ランスによる前記端子の抜け止めがなされている状態で前記ハウジングに設置されたときに、前記係止部が前記被係止部に係合して前記ランスを固定するホルダとを有するコネクタの端子係止構造である。
【００１３】
請求項２に記載の発明は、請求項１に記載のコネクタの端子係止構造において、前記被係止部は、前記ランスのリブで形成されており、前記係止部は、前記リブが入り込む溝で形成されているコネクタの端子係止構造である。
【００１４】
請求項３に記載の発明は、請求項１または請求項２に記載のコネクタの端子係止構造において、前記被係止部は、前記ランスの幅方向の両端から突出している一対のリブで形成されており、前記係止部は、前記一対のリブのそれぞれが入り込む一対の溝で形成されているコネクタの端子係止構造である。
【００１５】
請求項４に記載の発明は、請求項１〜請求項３のいずれか１項に記載のコネクタの端子係止構造において、前記キャビティと前記ランスとは、複数設けられており、前記複数のキャビティのそれぞれに挿入されて設置された端子の抜け止めが、前記複数のランスのそれぞれによってなされるように構成されており、１つの前記ホルダで、前記複数のランスを固定するように構成されているコネクタの端子係止構造である。
【発明の効果】
【００１６】
本発明によれば、ランスによる端子（ハウジングに設置された端子）の端子係止力を強化することができるコネクタの端子係止構造を提供することができるという効果を奏する。
【図面の簡単な説明】
【００１７】
【図１】本発明の実施形態に係るコネクタの端子係止構造を構成するハウジングの概略構成を示す図であり、（ｂ）は（ａ）におけるＩＢ−ＩＢ断面図である。
【図２】本発明の実施形態に係るコネクタの端子係止構造を構成するハウジングの概略構成を示す斜視図である。
【図３】本発明の実施形態に係るコネクタの端子係止構造を構成するホルダの概略構成を示す図であり、（ｂ）は（ａ）におけるＩＩＩＢ−ＩＩＩＢ断面図である。
【図４】本発明の実施形態に係るコネクタの端子係止構造を構成するホルダの概略構成を示す斜視図である。
【図５】本発明の実施形態に係るコネクタの端子係止構造を構成する端子の概略構成を示す斜視図である。
【図６】本発明の実施形態に係るコネクタの端子係止構造において、ハウジングにホルダを仮設置した状態を示す図であり、（ｂ）は（ａ）におけるＶＩＢ−ＶＩＢ断面図である。
【図７】本発明の実施形態に係るコネクタの端子係止構造において、ハウジングにホルダを仮設置し端子を設置した状態を示す図であり、（ｂ）は（ａ）におけるＶＩＩＢ−ＶＩＩＢ断面図である。
【図８】本発明の実施形態に係るコネクタの端子係止構造において、ハウジングに端子とホルダとを設置し終えた状態を示す図であり、（ｂ）は（ａ）におけるＶＩＩＩＢ−ＶＩＩＩＢ断面図である。
【図９】従来のコネクタを示す図である。
【発明を実施するための形態】
【００１８】
本発明の実施形態に係るコネクタの端子係止構造１は、コネクタ３に採用されるものであり、図７や図８で示すように、ハウジング５と端子（たとえばメス端子）７とホルダ（リテーナ；フロントホルダ）９とを備えて構成されている。
【００１９】
ハウジング５には、キャビティ１１が設けられており、端子７は、ハウジング５のキャビティ１１に挿入されて収容されることでハウジング５に設置されるようになっている。
【００２０】
ここで、説明の便宜のために、端子７をハウジング５のキャビティ１１に挿入し、また、端子７をハウジング５のキャビティ１１から抜き取る方向を前後方向とし、この前後方向に対して直交する所定の一方向を横方向とし、前後方向と縦方向に対して直交する方向を縦方向とする。
【００２１】
ハウジング５が前側に位置し端子７が後側に位置している状態で、端子７をハウジング５に対して前側に移動することで、端子７がハウジング５のキャビティ１１に挿入されて収容されるようになっている。
【００２２】
また、ハウジング５には、前後方向に延びた片持ち梁状のランス１３が設けられている。ランス１３は、ハウジング５の一部を構成している。ランス１３は、端子７をハウジング５に設置する途中の状態では端子７に押されて縦方向の一方の側に弾性変形して撓み、端子７をハウジング５に設置し終えたときに復元するようになっている。
【００２３】
そして、ランス１３の復元によって、ランス１３がハウジング５に設置された端子７に係合し、端子７の抜け止めがなされるように構成されている。
【００２４】
また、ランス１３には、被係止部１５が設けられている。被係止部１５は、ランス１３やハウジング５の一部を構成しており、片持ち梁状のランス１３のたとえば先端部に設けられている。
【００２５】
ホルダ９には、係止部１７が設けられている。係止部１７はホルダ９の一部を構成している。端子７がハウジング５に設置されランス１３による端子７の抜け止めがなされている状態でホルダ９がハウジング５に設置されると、被係止部１５が係止部１７に係止されるように構成されている。
【００２６】
すなわち、被係止部１５が係止部１７に係合するように構成されており、この係合によって、ランス１３がハウジング５（ランス１３を除くハウジングの本体部）と一体化しているホルダ９で保持され固定されるように構成されている。ランス１３が固定されることで、ランス１３の変形が防止される（変形が阻止される）。たとえば、ランス１３において、端子７をハウジング５に設置する途中の状態で端子７に押されたときの撓み（縦方向の一方の側への撓み）と、この逆方向への撓み（縦方向の他方の側への撓み）とが防止されるようになっている。
【００２７】
なお、ハウジング５が後側に位置しホルダ９が前側に位置している状態で、ホルダ９をハウジング５に対して後側に移動することで、ホルダ９がハウジング５に設置されるようになっている。
【００２８】
被係止部１５は、図１や図６等で示すように、たとえば、ランス１３のリブ（ランス変形規制リブ；ランス１３から突出している突起）１９で形成されており、係止部１７は、図３、図４や図８で示すように、リブ１９が入り込む溝（ランス変形規制溝）２１で形成されている。
【００２９】
さらに説明すると、被係止部１５は、ランス１３の幅方向（横方向）の両端から突出している一対のリブ１９（１９Ａ，１９Ｂ）で形成されており、係止部１７は、一対のリブ１９（１９Ａ，１９Ｂ）のそれぞれが入り込む一対の溝２１（２１Ａ，２１Ｂ）で形成されている。
【００３０】
また、１つのハウジング５には、図１等で示すように、キャビティ１１とランス１３とが複数設けられている。そして、複数のキャビティ１１のそれぞれに挿入されて設置された端子７の抜け止めが、複数のランス１３のそれぞれによってなされるように構成されている。また、１つのホルダ９が１つのハウジング５に設置されることで、複数のランス１３を固定するように構成されている（図７、図８等参照）。
【００３１】
たとえば、ハウジング５には、第１のキャビティ１１（１１Ａ）と第２のキャビティ１１（１１Ｂ）との２つのキャビティが設けられている。各キャビティ１１（１１Ａ，１１Ｂ）はお互いに隣接している。
【００３２】
第１のキャビティ１１Ａには、第１のランス１３（１３Ａ）が設けられており、第２のキャビティ１１Ｂには、第２のランス１３（１３Ｂ）が設けられている。
【００３３】
第１のキャビティ１１Ａには、第１の端子７（７Ａ）が挿入されて設置され、この設置された第１の端子７Ａの抜け止めが第１のランス１３Ａによってなされるように構成されている。第２のキャビティ１１Ｂには、第２の端子７（７Ｂ）が挿入されて設置され、この設置された第２の端子７Ｂの抜け止めが第２のランス１３Ｂによってなされるように構成されている。
【００３４】
なお、第１のキャビティ１１Ａへの第１の端子７Ａの挿入方向と、第２のキャビティ１１Ｂへの第２の端子７Ｂの挿入方向とはお互いが一致している。第１の端子７Ａと第２の端子７Ｂとはお互いが同形状になっており、第１のキャビティ１１Ａおよび第１のランス１３Ａと、第２のキャビティ１１Ｂおよび第１のランス１３Ｂとはお互いが同形状になっている。第１のキャビティ１１Ａおよび第１のランス１３Ａと第２のキャビティ１１Ｂおよび第１のランス１３Ｂとは、前後方向および縦方向でお互いの位置が一致しており、横方向で僅かに離れている。
【００３５】
第１の端子７Ａが第１のキャビティ１１Ａに挿入されハウジング５に設置され第１のランス１３Ａで抜け止めがなされており、第２の端子７Ｂも第２のキャビティ１１Ｂに挿入されハウジング５に設置され第２のランス１３Ｂで抜け止めがなされている状態で、ホルダ９がハウジング５に設置され、ランス１３（１３Ａ，１３Ｂ）を固定するようになっている。
【００３６】
すなわち、ホルダ９がハウジング５に設置されることで、第１のランス１３Ａの一対のリブ１９（１９Ａ，１９Ｂ）がホルダ９の一対の溝２１（２１Ａ，２１Ｂ）に入り込み、第２のランス１３Ｂの一対のリブ１９（１９Ａ，１９Ｂ）がホルダ９の一対の溝２１（２１Ａ，２１Ｂ）に入り込むことで、第１のランス１３Ａと第２のランス１３Ｂとがホルダ９に固定されるようになっている。このとき、ホルダ９は、ハウジング５と一体化している。
【００３７】
なお、すでに理解されるように、１つのハウジング５に２つのキャビティ１１と２本のランス１３とが設けられているので、１つのハウジング５には、リブ１９が４つ設けられており、１つのホルダ９にも４つの溝２１が設けられている。
【００３８】
ここで、コネクタの端子係止構造１についてさらに詳しく説明する。
【００３９】
図５等で示すように、端子７は、金属等の導電性材料で構成された板状の素材を所定形状にし、この所定形状にしたものに適宜折り曲げ加工を施すことで生成されている。
【００４０】
端子７は、相手側端子（たとえばオス端子）が接続される相手側端子接続部（筒状部）２３とワイヤバレル部（芯線カシメ部）２５とインシュレーション部（シースカシメ部）２７とを備えて構成されている。相手側端子接続部２３とワイヤバレル部２５とインシュレーションバレル部２７とは前後方向で前側から後側に向かってこの順にならんでいる。
【００４１】
相手側端子接続部２３は、矩形な筒状になっており、矩形な筒の内側には、弾性片２９が設けられている。また、相手側端子接続部２３の４つの側壁部のうちの１つの側壁部には、ランス１３の係止部（図１（ｂ）参照）３１が係合する切り欠き３３が設けられている。
【００４２】
ワイヤバレル部２５は、一対で形成されており、長手方向の一端部に端子７が設置された端子付き電線３５では、ワイヤバレル部２５が、シースが除去されて露出している電線の芯線を囲んでいる。インシュレーションバレル部２７も、一対で形成されており、端子付き電線３５では、インシュレーションバレル部２７が、シースの前端よりも僅かに後側の部位で電線のシースの外周のほぼ全周に被さっている。端子付き電線３５では、電線が端子７から端子７の後方に延出している。なお、図１〜図８では電線の表示を省略している。
【００４３】
ハウジング５は、たとえば合成樹脂等の絶縁性の材料で一体成形されて概ね直方体状に形成されている。キャビティ１１は、ハウジング５の後端から前側に凹んで形成されている。キャビティ１１の前側部位は、端子７の相手側端子接続部２３の外形とほぼ同形状である四角柱状に形成されている。
【００４４】
２つのキャビティ１１（１１Ａ，１１Ｂ）は、仕切り壁３７で仕切られており、上述したように、横方向でお互いが僅かに離れている。
【００４５】
ランス１３は、図１等で示すように、キャビティ１１の１つの側壁部（縦方向の一方の側に位置している側壁部）のところに設けられており、横方向では、キャビティ１１の中央部に位置し、前後方向では、キャビティ１１の中間部に位置している。片持ち梁状のランス１３は、梁の先端が前側に位置し梁の基端が後側に位置している。
【００４６】
また、片持ち梁状のランス１３の先端部には、上述した係止部３１が設けられている。係止部３１は、縦方向でランス１３から他方の側（キャビティ１１の中心側）に突出している。係止部３１には、斜めになっているガイド面３９が形成されている。端子７をキャビティ１１に挿入するとき、端子７の先端（前端）がガイド面３９に当接して、ランス１３が縦方向の一方の側（キャビティ１１の中心から離れる側）に撓み、端子７がスムースにキャビティ１１に挿入されるようになっている。
【００４７】
リブ１９はたとえば小さい矩形な平板状に形成されている。リブ１９Ａとリブ１９Ｂとはお互いが同形状に形成されている。ランス１３は、片持ち梁状のランス本体部４１と係止部３１とリブ１９とで構成されている。リブ１９Ａは、厚さ方向が縦方向になり幅方向が横方向になるようにして、ランス本体部４１の横方向の一端面から突出している。また、リブ１９Ａは、縦方向では、他端部（係止部３１の突出方向とは反対側の端部）に位置しており、前後方向では、ランス本体部４１の先端部（前端部）に位置している。ただし、リブ１９Ａの後端は、係止部３１の後端よりも後方に位置している。
【００４８】
また、リブ１９Ａの先端部（前端部）には、リブ１９Ａがホルダ９の溝２１Ａにスムースの入り込むようにするための斜めのガイド面４３が設けられている。このガイド面４３をリブ１９Ａに設けることに代えてもしくは加えて、溝２１に設けてもよい。
【００４９】
リブ１９Ｂは、ランス本体部４１の中心面（横方向に対して直交しランス本体部４１の中心を通る平面）に対して、リブ１９Ａと対称に設けられている。
【００５０】
キャビティ１１の前端（キャビティ１１の底）と、ハウジング５の前端との間には貫通孔４５が形成されている。
【００５１】
また、ハウジング５には、筒状の凹部４７が設けられている。凹部４７は、ハウジング５の前端から後側に凹んで形成されている。凹部４７が設けられていることで、ハウジング５には、凸部４９が形成されており、キャビティ１１（１１Ａ，１１Ｂ）やランス１３（１３Ａ，１３Ｂ）は凸部４９の内側に位置している。筒状の凹部４７の外側には、弾性アーム５１が設けられている。
【００５２】
端子（たとえばオス端子）が設置された相手側コネクタ（図示せず）が、端子付き電線３５が設置されたハウジング５（コネクタ３）に設置されると、相手側コネクタが凹部４７に入り込んで弾性アーム５１とに係合し、相手側コネクタのコネクタ３からの抜け止めがなされるように構成されている。
【００５３】
また、端子が設置された相手側コネクタがコネクタ３に設置されると、相手側コネクタの端子がハウジング５の貫通孔４５を通って、端子７の相手側端子接続部２３内に入り込み、相手側コネクタの端子と端子７との接続がなされるようになっている。
【００５４】
また、仕切り壁３７等には、ホルダ９をハウジング５に設置するとき、ホルダ９との干渉を避けホルダ９が入り込む切り欠き（凹部）５３が設けられている。切り欠き５３は、ハウジング５の前端から後側に凹んで形成されている。
【００５５】
ホルダ９も、たとえば合成樹脂等の絶縁性の材料で一体成形されており、図３、図４で示すように、ホルダ本体部５５と一対の連結部５７（５７Ａ，５７Ｂ）と一対の外方部５９（５９Ａ，５９Ｂ）と一対の被係止部６１（６１Ａ，６１Ｂ）とを備えて構成されている。
【００５６】
ホルダ本体部５５は、中央部６３と一対の側方部６５（６５Ａ，６５Ｂ）とを備えて構成されている。中央部６３は、矩形な板状に形成されており、厚さ方向が横方向になっており、長手方向が前後方向になっており、幅方向が縦方向になっている。
【００５７】
一方の側方部６５Ａは、厚さが中央部６３とほぼ等しく、長さが中央部６３よりも短く、幅が中央部６３よりも狭い矩形な板状に形成されている。側方部６５Ａは、厚さ方向が横方向になり、長手方向が前後方向になり、幅方向が縦方向になって、中央部６３の横方向の一方の面から突出している。また、前後方向で側方部６５Ａの前端と中央部６３の前端とはお互いに一致しており、縦方向では、側方部６５Ａの一端が中央部６３の一端よりも僅かに他端側に位置している。なお、縦方向で、側方部６５Ａの一端の位置と中央部６３の一端の位置とがお互いに一致していてもよい。
【００５８】
他方の側方部６５Ｂは、中央部６３の中心面（横方向に対して直交し中央部６３の中心を通る平面）に対して一方の側方部６５Ａと対称に設けられている。これにより、前後方向から見ると、ホルダ本体部５５は、「Ｔ」字状（図３や図４では上下が反転した「Ｔ」字状）になっている。
【００５９】
一方の連結部５７Ａは、厚さが側方部６５Ａよりも僅かに大きく、長さが側方部６５Ａよりも短いかもしくは同程度であり、幅が側方部６５Ａよりも狭い矩形な板状に形成されている。連結部５７Ａは、厚さ方向が横方向になり、長手方向が前後方向になり、幅方向が縦方向になって、側方部６５Ａ横方向の一方の面から突出している。また、前後方向で連結部５７Ａの後端と側方部６５Ａの後端とはお互いに一致しているかもしくは連結部５７Ａの後端が側方部６５Ａの後端よりも僅かに後方に位置しており、縦方向で連結部５７Ａの一端と側方部６５Ａの一端とはお互いに一致している。
【００６０】
他方の連結部５７Ｂは、中央部６３の中心面（横方向に対して直交し中央部６３の中心を通る平面）に対して一方の連結部５７Ａと対称に設けられている。
【００６１】
一方の外方部５９Ａは、１／４円柱状（底面の形状が中心角が９０°である扇形になっている柱状）に形成されている。外方部５９Ａの長さ（柱の高さ）は、側方部６５Ａの長さと同程度になっている。外方部５９Ａの半径（扇形の半径）の値は、連結部５７Ａの幅の値よりも大きくなっている。
【００６２】
外方部５９Ａは、長さ方向が前後方向になり、１／４円柱の１つの平面状の側面６７が、横方向に直交するとともに連結部５７Ａとに接し、１／４円柱の他の１つの平面状の側面６９が、縦方向と直交し、円弧状の側面７１が横方向の端に位置するようにして、連結部Ａの横方向の一方の端面から突出している。また、前後方向で、外方部５９Ａの後端と側方部６５Ａの後端とはお互いに一致し、外方部５９Ａの前端とホルダ本体部５５の前端とはお互いが一致している。また、縦方向で、外方部５９Ａの一方の端と、連結部５７Ａの一方の端とはお互いが一致し、外方部５９Ａの他方の端と、側方部６５Ａの他方の端とはお互いが一致している。
【００６３】
他方の外方部５９Ｂは、中央部６３の中心面（横方向に対して直交し中央部６３の中心を通る平面）に対して一方の外方部５９Ａと対称に設けられている。これにより、前後方向から見ると、ホルダ本体部５５の場合と同様にして、ホルダ９も、「Ｔ」字状（図３や図４では上下が反転した「Ｔ」字状）になっている。
【００６４】
端子７Ａが設置されているハウジング５にホルダ９を設置したときに、ランス１３Ａのリブ１９（１９Ａ，１９Ｂ）が入り込む溝２１（２１Ａ，２１Ｂ）が、外方部５９Ａと側方部６５Ａとに設けられている。同様にして、端子７Ｂが設置されているハウジング５にホルダ９を設置したときに、ランス１３Ｂのリブ１９（１９Ａ，１９Ｂ）が入り込む溝２１（２１Ａ，２１Ｂ）が、外方部５９Ｂと側方部６５Ｂとに設けられている。また、側方部６５Ａ（６５Ｂと）外方部５９Ａ（５９Ｂ）とに設けられている溝２１（２１Ａ，２１Ｂ）は、連結部５７側に開口しているとともに、外方部５９Ａ（５９Ｂ）や側方部６５Ａ（６５Ｂ）の後端から前側に向かい延びている。
【００６５】
端子７Ａがキャビティ１１Ａに挿入されて設置されたハウジング５にホルダ９を設置したときには、キャビティ１１Ａのランス１３Ａが側方部６５Ａと外方部５９Ａとの間で連結部５７Ａのところに位置し（縦方向で連結部５７Ａに重なり）、ランス１３Ａから突出している一対のリブ１９Ａ，１９Ｂが、外方部５９Ａの溝２１Ａ，側方部６５Ａの２１Ｂに入り込むようになっている。
【００６６】
また、端子７Ｂがキャビティ１１Ｂに挿入されて設置されたハウジング５にホルダ９を設置したときには、キャビティ１１Ｂのランス１３Ｂが側方部６５Ｂと外方部５９Ｂとの間で連結部５７Ｂのところに位置し（縦方向で連結部５７Ｂに重なり）、ランス１３Ｂから突出している一対のリブ１９Ａ，１９Ｂが、外方部５９Ｂの溝２１Ａ，側方部６５Ｂの２１Ｂに入り込むようになっている。
【００６７】
これにより、ランス１３（１３Ａ，１３Ｂ）がホルダ９で固定され、片持ち梁状のランス１３が縦方向（図８（ｂ）の上下方向）で撓まないように固定される。
【００６８】
さらに、横方向における外方部５９Ａ（５９Ｂ）と側方部６５Ａ（６５Ｂ）との間の距離は、ランス本体部４１の横方向の寸法と同程度になっており、端子７Ａ（７Ｂ）がキャビティ１１Ａ（１１Ｂ）に挿入されて設置されたハウジング５にホルダ９を設置したときには、ランス本体部４１が外方部５９Ａ（５９Ｂ）と側方部６５Ａ（６５Ｂ）とで挟まれ、片持ち梁状のランス１３が横方向（図８（ｂ）の紙面に対して直交する方向）でも撓まないように固定される。
【００６９】
また、ホルダ９には、一対の被係止部（突起）６１（６１Ａ，６１Ｂ）が設けられており、ハウジング５にホルダ９を設置したとき、被係止部６１がハウジング５に設けられている係止部（図示せず）に係止され、ホルダ９の抜け止めがなされるようになっている。
【００７０】
さらに、端子７Ａ，７Ｂがキャビティ１１Ａ，１１Ｂに挿入されて設置されたハウジング５にホルダ９を設置したときには、ハウジング５と端子７とホルダ９とが一体化しており、ホルダ９は、ハウジングの切り欠き５３内にほぼ収まっている。
【００７１】
次に、ホルダ９と端子付き電線３５とのハウジング５への設置について説明する。
【００７２】
初期状態として、ホルダ９がハウジング５の前方でハウジング５から離れており、端子付き電線３５がハウジング５の後方でハウジング５から離れているものとする。このとき、端子付き電線３５は、相手側端子接続部２３が前側になっており、横方向および縦方方向で、キャビティ１１の位置と、ホルダ９や端子付き電線３５の位置とがお互いに一致している。
【００７３】
上記初期状態において、ハウジング５に対してホルダ９を後方に移動し、ホルダ９をハウジング５に仮設置する（図６参照）。
【００７４】
続いて、ハウジング５に対して端子付き電線３５を前方に移動すると、端子７がキャビティ１１に入り込み、端子７の先端がランス１３先端部の斜面（ガイド面）３９に当接し、ランス１３が下方（縦方向の一端側）に弾性変形して撓む。
【００７５】
端子付き電線３５をさらに前方に移動すると、端子７の前端がキャビティ１１の底（前端面）に当接し、ランス１３が復元し、ランス１３の係止部３１が相手側端子接続部２３の切り欠き３３に入り込み、端子付き電線３５の抜け止めがなされる（図７参照）。
【００７６】
続いて、仮設置状態にあるホルダ９をハウジング５に対してさらに後方に移動すると、ホルダ９がハウジング５一体的に設置され、リブ１９が溝２１に入り込み、ホルダ９によってランス１３が固定される（図８参照）。
【００７７】
なお、上記手順において、最初にホルダ９を仮設置することなく、端子付き電線３５をハウジング５に設置し終えてから、ホルダ９をハウジング５に設置してもよい。
【００７８】
コネクタの端子係止構造１によれば、端子７がハウジング５に設置されランス１３による端子７の抜け止めがなされている状態でホルダ９がハウジング５に設置されると、ホルダ９の係止部１７がランス１３の被係止部１５を係止してランス１３を固定するので、ハウジング５に設置された端子７に離脱方向の大きな力が加わっても、片持ち梁状のランス１３が挫屈しなくなる。これにより、ランス１３による端子７（ハウジング５に設置された端子７）の端子係止力を強化することができる。
【００７９】
この端子係止力の強化は、コネクタ３を小型化すべくランス１３を小さくしたときであっても、十分に達成することができる。
【００８０】
また、コネクタの端子係止構造１によれば、被係止部１５がランス１３のリブ１９で形成されており、係止部１７がリブ１９が入り込むホルダ９の溝２１で形成されているので、ランス１３の小型化を容易に達成することができる。
【００８１】
また、コネクタの端子係止構造１によれば、被係止部１５がランス１３の幅方向の両端から突出している一対のリブ１９Ａ，１９Ｂで形成されており、係止部１７が一対のリブ１９Ａ，１９Ｂのそれぞれが入り込む一対の溝２１Ａ，２１Ｂで形成されているので、ランス１３をこの幅方向の両側からバランス良く固定することができ、ランス１３の係止力を一層向上させることができる。
【００８２】
また、コネクタの端子係止構造１によれば、複数のキャビティ１１Ａ，１１Ｂのそれぞれに挿入されて設置された端子７Ａ，７Ｂの抜け止めが、複数のランス１３Ａ，１３Ｂのそれぞれによってなされるように構成されており、１つのホルダ９で複数のランス１３Ａ，１３Ｂを固定するように構成されているので、簡素な構成でランス１３の係止力を向上させることができる。
【符号の説明】
【００８３】
１  コネクタの端子係止構造
５  ハウジング
７，７Ａ，７Ｂ  端子
９  ホルダ
１１，１１Ａ，１１Ｂ  キャビティ
１３，１３Ａ，１３Ｂ  ランス
１５  被係止部
１７  係止部
１９，１９Ａ，１９Ｂ  リブ
２１，２１Ａ，２１Ｂ  溝
【図１】
2015095343.tif 000003
【図２】
2015095343.tif 000004
【図３】
2015095343.tif 000005
【図４】
2015095343.tif 000006
【図５】
2015095343.tif 000007
【図６】
2015095343.tif 000008
【図７】
2015095343.tif 000009
【図８】
2015095343.tif 000010
【図９】
2015095343.tif 000011